(57)【要約】【課題】狭いスペースに設置でき、使用者が注意力を集中できしかも、重畳表示されても表示される内容を理解することが容易な、液晶ディスプレイ表示装置を提供すること。【解決手段】第１の画像を表示すると共にその後面にある画像も前方から見ることが可能な表示を行う第１の液晶表示部３と、この第１の液晶表示部の後面に設けられ、前記第１の画像に関連する第２の画像を表示する第２の液晶表示部２とを有して成る。【選択図】　図１
2004145821.tif 000002
【特許請求の範囲】
【請求項１】
第１の画像を表示すると共にその後面にある画像も前方から見ることが可能な表示を行う第１の液晶表示部と、
この第１の液晶表示部の後面に設けられ、前記第１の画像に関連する第２の画像を表示する第２の液晶表示部とを有して成ることを特徴とする液晶ディスプレイ表示装置。
【請求項２】
その前面の接触する位置に応じて選択入力される領域を示す第１の画像を表示すると共にその後面にある画像も前方から見ることが可能な表示を行う第１の液晶表示部と、
この第１の液晶表示装置の後面に設けられ、前記接触された位置に関連する第２の画像を表示する第２の液晶表示部とを有して成ることを特徴とする液晶ディスプレイ表示装置。
【請求項３】
前記第１の液晶表示装置の表示する第１の画像は複数の映像に対応する操作を示す複数の領域であり、
この複数の領域の１つに接触することにより、前記第２の液晶表示部は前記接触された領域に対応する映像を表示することを特徴とする請求項２記載の液晶ディスプレイ表示装置。
【請求項４】
前記第１の液晶表示装置の表示する第１の画像は特定の操作対象設備における複数の操作に対応する複数の領域であり、
この複数の領域の１つに接触することにより、前記第２の液晶表示部は、前記接触された領域に対応する操作を前記操作対象設備に行なったときの状態を示す映像を表示することを特徴とする請求項２記載の液晶ディスプレイ表示装置。
【請求項５】
前記第１の液晶表示装置の表示する第１の画像は特定の操作対象設備における複数の操作に対応する複数の領域であり、
この複数の領域の１つに接触することにより、前記第２の液晶表示部は、前記接触された領域に対応する操作を前記操作対象設備に行なったときのデータを表示することを特徴とする請求項２記載の液晶ディスプレイ表示装置。
【請求項６】
前記第１の液晶表示装置の表示する第１の画像は特定の操作対象設備における複数の部位の操作に対応する複数の領域であり、
この複数の領域の１つに接触することにより、前記第２の液晶表示部は、前記接触された領域に対応する前記部位の前記操作対象設備における系統図を表示することを特徴とする請求項２記載の液晶ディスプレイ表示装置。
【請求項７】
前記第１の液晶表示装置の表示する第１の画像は特定の操作対象設備における複数の部位の操作に対応する複数の領域であり、
この複数の領域の１つに接触することにより、前記第２の液晶表示部は、前記接触された領域に対応する前記部位における状態の時間的変化のデータをグラフィック表示することを特徴とする請求項２記載の液晶ディスプレイ表示装置。
【請求項８】
前記第１の液晶表示装置の表示する第１の画像は複数の操作に対応する複数のメニューであり、
この複数のメニューの１つに接触したとき、前記第２の液晶表示部は、前記第１の液晶表示装置に表示された複数のメニューの画像を表示すると共に、前記第１の液晶表示装置は、前記接触されたメニューに属する下位の複数の操作メニューを表示することを特徴とする請求項２記載の液晶ディスプレイ表示装置。
【請求項９】
前記第１の液晶表示装置の表示する第１の画像は携帯電話の複数の操作ボタンであり、
この複数の操作ボタンの１つに接触したとき、前記第２の液晶表示部は、前記接触された操作ボタンに対応する情報を表示することを特徴とする請求項２記載の液晶ディスプレイ表示装置。
【請求項１０】
前記第１の液晶表示装置の表示する第１の画像はＰＤＡ端末の複数の操作ボタンであり、
この複数の操作ボタンの１つに接触したとき、前記第２の液晶表示部は、前記接触された操作ボタンに対応する情報を表示することを特徴とする請求項２記載の液晶ディスプレイ表示装置。
【請求項１１】
前記第２の液晶表示装置の表示する第２の画像は交通案内用の地図であり、前記第１の液晶表示装置が表示する第１の画像は、前記地図の道路や交通に関する状況を示す情報であることを特徴とする請求項１記載の液晶ディスプレイ表示装置。
【請求項１２】
前記第２の液晶表示装置の表示する第２の画像は変化の少ない地図であり、前記第１の液晶表示装置が表示する第１の画像は、前記地図の各場所における関連情報であることを特徴とする請求項１記載の液晶ディスプレイ表示装置。
【請求項１３】
前記第２の液晶表示装置の表示する第２の画像は監視対象設備全体の画像であり、前記第１の液晶表示装置が表示する第１の画像は、前記監視対象設備の各部位における関連情報であることを特徴とする請求項１記載の液晶ディスプレイ表示装置。
【請求項１４】
その前面の接触する位置に応じて選択入力される領域を示す第１の画像を表示すると共にその後面にある画像も前方から見ることが可能な表示を行う第１の液晶表示部と、この第１の液晶表示装置の後面に設けられ、前記接触された位置に関連する第２の画像を表示する第２の液晶表示部とを備え、
前記第１の画像表示部と前記第２の画像表示部の表示する画像は、切り替え表示することも可能なように構成されて成ることを特徴とする液晶ディスプレイ表示装置。
【請求項１５】
第１の画像を表示すると共にその後面にある画像も前方から見ることが可能な表示を行う第１の液晶表示部と、この第１の液晶表示部の後面に設けられ、第２の画像を表示する第２の液晶表示部とを備え、
前記第１の液晶表示部は、携帯電話のデータを表示し、前記第２の液晶表示部は前記携帯電話電話がかかってきたときの相手に関する情報を表示することを特徴とする携帯電話用の液晶ディスプレイ表示装置。
【請求項１６】
第１の画像を表示すると共にその後面にある画像も前方から見ることが可能な表示を行う第１の液晶表示部と、
この第１の液晶表示装置の後面に設けられ、選択入力される領域を示す第２の画像を表示する第２の液晶表示部とを有し、
前記第２の画像により示される前記領域を選択するとこの選択された領域に関連する画像を前記第１の液晶表示部に表示することを特徴とする液晶ディスプレイ表示装置。
【発明の詳細な説明】
【０００１】
【発明の属する技術分野】
本発明は、複数の表示部を重畳した構造の二重液晶ディスプレイを用いた表示装置に関する。
【０００２】
【従来の技術】
ディスプレイ表示装置において、従来、画面上に複数の情報や多量の情報の表示を行う場合、通常の広さの１画面では見難いので、表示画面の大きいディスプレイ表示装置を用いるか、複数の装置を設ける必要があった。
【０００３】
しかし、表示画面の大きいディスプレイ表示装置や複数の装置を設けるには、広いスペースが必要になる。また、これらの方法では、見る範囲が広がりあるいは異なる画面を見なければならないので、使用者にとって注意力が散漫になりやすい問題点があった。
【０００４】
なお、広いスペースが確保できない場合には、表示装置の画面を切り替えることにより対応することも可能であるが、この場合も切り替えられる前の画面と後の画面の関係を把握することが困難であり、使用者にとって注意力が散漫になりやすい。
【０００５】
また、タッチパネルを表示画面の前面に有する表示装置も知られている。このような装置において、多くの操作項目がある場合も、通常の大きさの１画面ですべての操作項目を表図することが困難であるから、ディスプレイの大型や複数化を招き、画面の切り替え、および操作の一部をハードスイッチにすることにより対応していた。この場合にも、広いスペースが必要あるいは、使用者の注意力が散漫になりやすいという問題がある。
【０００６】
また、１画面に複数の画面情報を表示する場合は一画面に複数の画面を重ね合わせ、画面の切り替え、表示順番を変更するものも知られている（特許文献１，２参照）。しかし、１画面に複数の情報を重ねて表示すると、使用者には表示されている情報が一体となって理解し難いという問題があった。さらに、１画面を分割して複数の画面情報を表示した場合は、個々の画面情報のスペースが小さくなり、情報量が多い場合にはすべてを見ることができず、全体を見るためにこの画面情報においてスクロール等の操作が必要となり、視認性・操作性が悪化するという問題があった。
【０００７】
なお、液晶表示体を複数個重畳構成し、液晶に色素を含有させたカラー表示装置は知られている（特許文献３参照）。しかし、この装置は小さな表示画面を有する腕時計などに用いるものであり、また全体としてカラーを表示するものであって、複雑な情報を見やすく表示するものではない。
【０００８】
【特許文献１】
・特開平８−４４５２２
【特許文献２】
・特開平７−２７０１７２
【特許文献３】
・特開昭５３−１０１２９６（第３図、第６図、第７図）
【０００９】
【発明が解決しようとする課題】
本発明は、上記のような多くの情報を表示する従来の表示装置では、広いスペースを取り、使用者の注意力が散漫となり、また、表示されている内容を理解し難いという問題があったことに鑑みてなされたもので、本発明は、狭いスペースに設置でき、使用者が注意力を集中できしかも、重畳表示されても表示される内容を理解することが容易な、液晶ディスプレイ表示装置を提供することを目的とする。
【００１０】
【課題を解決するための手段】
上記目的を達成するために、本発明の請求項１によれば、第１の画像を表示すると共にその後面にある画像も前方から見ることが可能な表示を行う第１の液晶表示部と、この第１の液晶表示部の後面に設けられ、前記第１の画像に関連する第２の画像を表示する第２の液晶表示部とを有して成ることを特徴とする液晶ディスプレイ表示装置を提供する。
【００１１】
本発明の請求項２によれば、その前面の接触する位置に応じて選択入力される領域を示す第１の画像を表示すると共にその後面にある画像も前方から見ることが可能な表示を行う第１の液晶表示部と、この第１の液晶表示装置の後面に設けられ、前記接触された位置に関連する第２の画像を表示する第２の液晶表示部とを有して成ることを特徴とする液晶ディスプレイ表示装置を提供する。
【００１２】
本発明の請求項３によれば、請求項２記載の液晶ディスプレイ表示装置において、前記第１の液晶表示装置の表示する第１の画像は複数の映像に対応する操作を示す複数の領域であり、この複数の領域の１つに接触することにより、前記第２の液晶表示部は前記接触された領域に対応する映像を表示することを特徴とする。
【００１３】
本発明の請求項４によれば、請求項２記載の液晶ディスプレイ表示装置において、前記第１の液晶表示装置の表示する第１の画像は特定の操作対象設備における複数の操作に対応する複数の領域であり、この複数の領域の１つに接触することにより、前記第２の液晶表示部は、前記接触された領域に対応する操作を前記操作対象設備に行なったときの状態を示す映像を表示することを特徴とする。
【００１４】
本発明の請求項５によれば、請求項２記載の液晶ディスプレイ表示装置において、前記第１の液晶表示装置の表示する第１の画像は特定の操作対象設備における複数の操作に対応する複数の領域であり、この複数の領域の１つに接触することにより、前記第２の液晶表示部は、前記接触された領域に対応する操作を前記操作対象設備に行なったときのデータを表示することを特徴とする。
【００１５】
本発明の請求項６によれば、請求項２記載の液晶ディスプレイ表示装置において、前記第１の液晶表示装置の表示する第１の画像は特定の操作対象設備における複数の部位の操作に対応する複数の領域であり、この複数の領域の１つに接触することにより、前記第２の液晶表示部は、前記接触された領域に対応する前記部位の前記操作対象設備における系統図を表示することを特徴とする。
【００１６】
本発明の請求項７によれば、請求項２記載の液晶ディスプレイ表示装置において、前記第１の液晶表示装置の表示する第１の画像は特定の操作対象設備における複数の部位の操作に対応する複数の領域であり、この複数の領域の１つに接触することにより、前記第２の液晶表示部は、前記接触された領域に対応する前記部位における状態の時間的変化のデータをグラフィック表示することを特徴とする。
【００１７】
本発明の請求項８によれば、請求項２記載の液晶ディスプレイ表示装置において、前記第１の液晶表示装置の表示する第１の画像は複数の操作に対応する複数のメニューであり、この複数のメニューの１つに接触したとき、前記第２の液晶表示部は、前記第１の液晶表示装置に表示された複数のメニューの画像を表示すると共に、前記第１の液晶表示装置は、前記接触されたメニューに属する下位の複数の操作メニューを表示することを特徴とする。
【００１８】
本発明の請求項９によれば、請求項２記載の液晶ディスプレイ表示装置において、前記第１の液晶表示装置の表示する第１の画像は携帯電話の複数の操作ボタンであり、この複数の操作ボタンの１つに接触したとき、前記第２の液晶表示部は、前記接触された操作ボタンに対応する情報を表示することを特徴とする。
【００１９】
本発明の請求項１０によれば、請求項２記載の液晶ディスプレイ表示装置において、前記第１の液晶表示装置の表示する第１の画像はＰＤＡ端末の複数の操作ボタンであり、この複数の操作ボタンの１つに接触したとき、前記第２の液晶表示部は、前記接触された操作ボタンに対応する情報を表示することを特徴とする。
【００２０】
本発明の請求項１１によれば、請求項１記載の液晶ディスプレイ表示装置において、前記第２の液晶表示装置の表示する第２の画像は交通案内用の地図であり、前記第１の液晶表示装置が表示する第１の画像は、前記地図の道路や交通に関する状況を示す情報であることを特徴とする。
【００２１】
本発明の請求項１２によれば、請求項１記載の液晶ディスプレイ表示装置において、前記第２の液晶表示装置の表示する第２の画像は変化の少ない地図であり、前記第１の液晶表示装置が表示する第１の画像は、前記地図の各場所における関連情報であることを特徴とする。
【００２２】
本発明の請求項１３によれば、請求項１記載の液晶ディスプレイ表示装置において、前記第２の液晶表示装置の表示する第２の画像は監視対象設備全体の画像であり、前記第１の液晶表示装置が表示する第１の画像は、前記監視対象設備の各部位における関連情報であることを特徴とする。
【００２３】
本発明の請求項１４によれば、その前面の接触する位置に応じて選択入力される領域を示す第１の画像を表示すると共にその後面にある画像も前方から見ることが可能な表示を行う第１の液晶表示部と、この第１の液晶表示装置の後面に設けられ、前記接触された位置に関連する第２の画像を表示する第２の液晶表示部とを備え、前記第１の画像表示部と前記第２の画像表示部の表示する画像は、切り替え表示することも可能なように構成されて成ることを特徴とする液晶ディスプレイ表示装置を提供する。
【００２４】
本発明の請求項１５によれば、第１の画像を表示すると共にその後面にある画像も前方から見ることが可能な表示を行う第１の液晶表示部と、この第１の液晶表示部の後面に設けられ、第２の画像を表示する第２の液晶表示部とを備え、前記第１の液晶表示部は、携帯電話のデータを表示し、前記第２の液晶表示部は前記携帯電話電話がかかってきたときの相手に関する情報を表示することを特徴とする携帯電話用の液晶ディスプレイ表示装置を提供する。
【００２５】
本発明の請求項１６によれば、第１の画像を表示すると共にその後面にある画像も前方から見ることが可能な表示を行う第１の液晶表示部と、この第１の液晶表示装置の後面に設けられ、選択入力される領域を示す第２の画像を表示する第２の液晶表示部とを有し、前記第２の画像により示される前記領域を選択するとこの選択された領域に関連する画像を前記第１の液晶表示部に表示することを特徴とする液晶ディスプレイ表示装置を提供する。
【００２６】
【発明の実施の形態】
以下、本発明の各実施形態について図面を用いて説明する。図１に本発明による液晶ディスプレイ表示装置の一実施形態の構造を示す。図１に示すようにこの二重液晶ディスプレイ１は、液晶により構成された後画面表示部２と、その前面に設置された透過式液晶により構成された前画面表示部３により、所定間隔離して構成される。実際には、両表示部を積層することによりなされる。前画面表示部３の前面にはタッチパネルが設けられており、例えば、図示のように表示されている操作１、操作２、操作３、操作４の何れかに、使用者が触ると、それに対応する操作が行われ、後画面表示部２の画面に指示された映像などが表示される。
【００２７】
したがって、二重液晶ディスプレイ１の後画面表示部２に表示された情報は透過式液晶である前画面表示部３に表示された情報を透して見ることが可能となり、前画面表示部３と後画面表示部２を同時に読み取ることができる。であるから、一画面分のディスプレイスペースで２画面分の情報の表示が可能となる。さらに、物理的な前画面表示部３と後画面表示部２のクリアランス４により前画面表示部３の情報と後画面表示部２の情報を視覚的に分離して認識することが可能となる。
【００２８】
例えば図２に示すように、前画面表示装置３の表示画像として、ボタン１〜１２のタッチパネルボタン５の画像が表示され、このいずれかのボタンにタッチすることにより、そのボタンに関連した映像が、二重液晶ディスプレイ１の後画面表示部２に表示される。このとき液晶ディスプレイ表示装置１の前画面表示部３にタッチパネルボタン５も表示されている。このように、前画面表示装置３に表示されたタッチパネルボタン５を選択することにより情報入力を含む各種操作が可能となる。
【００２９】
本発明のこの実施形態によれば、一画面分のディスプレイスペースにおいて、視線を大きく移動させること無しに、後画面表示部２の映像を見ながら情報入力を含む各種操作を行うことが可能となる。すなわち、前画面のタッチボタンの各々と後画面表示装置に表示される映像、画像の関係を使用者は容易に把握することができる。また、物理的なクリアランス４により前画面表示部３のタッチパネルボタン５と後画面表示部２の映像を視覚的に分離して認識することが可能となり、視認性と操作性の向上を図ることができる。さらに、従来の複数のディスプレイを設置した場合に比べ、ディスプレイサイズによる筐体の大型化を防止することが可能となる。
【００３０】
図３に、本発明による液晶ディスプレイ表示装置の他の実施形態を示す。図３に示すように、現場６に設置された操作対象設備７をカメラ８により撮影された画像信号を制御装置９の受信部１０によって受け、二重液晶ディスプレイ１の後画面表示部２に表示する。
【００３１】
一方、二重液晶ディスプレイ１の前画面表示部３に、例えば操作１〜１２を示すタッチパネル操作用ボタン１１を表示する。使用者がタッチパネル操作用ボタン１１のいずれかを選択しタッチすると、制御部１２を介して現場６の操作対象設備７のタッチした操作に対応部位を制御する。この制御は例えば、機器のＯＮ／ＯＦＦ、回転数、温度、電圧、電流、緊急停止等である。そして、操作対象設備７の制御対象となった部位の動作、状態などがカメラ８により撮影され、受信部１０を介して後画面表示部２の画面に映像として表示される。前画面表示部３のタッチパネル操作用ボタン１１にカメラ８の制御（カメラの移動、ズームイン、ズームアウト等）機能を持たせることで、カメラの移動、ズームイン、ズームアウト等のカメラの制御が可能となる。
【００３２】
本発明のこの実施形態によれば、一画面分のディスプレイスペースにおいて、大きな視線の移動無しに現場６の操作対象設備７のカメラ映像を見ながら操作対象設備７の操作を行うことが可能となり、視認性と操作性の向上を図ることができる。また、従来の複数のディスプレイを設置した場合に比べ、ディスプレイサイズによる筐体の大型化を防止することができる。
【００３３】
図４に本発明に関わる液晶ディスプレイ表示装置のさらに他の実施形態を示す。この液晶ディスプレイ表示装置においては、二重液晶ディスプレイ１の後画面表示部２に操作対象設備７に関するデータ１３を表示する。表示するデータは、例えば機器のＯＮ／ＯＦＦ、温度、回転数、電圧、電流、アラーム等である。
【００３４】
一方、二重液晶ディスプレイ１の前画面表示部３に、例えば操作１〜１２を示すタッチパネル操作用ボタン１１を表示する。使用者がタッチパネル操作用ボタン１１のいずれかを選択しタッチすると、制御部１２を介して現場６の操作対象設備７のタッチした操作に対応部位を制御する。この制御は例えば、機器のＯＮ／ＯＦＦ、回転数、温度、電圧、電流、緊急停止等である。そして、操作対象設備７の制御対象となった部位の動作、状態などが受信部１０を介して後画面表示部２の画面に対応する位置にデータ１〜１２として表示される。
【００３５】
この実施形態によれば、一画面分のディスプレイスペースにおいて、大きな視線の移動無しに現場６の操作対象設備７のデータ１３を確認しながら操作対象設備７の操作を行うことが可能となり、視認性と操作性の向上を図ることができる。また、従来の複数のディスプレイを設置した場合に比べ、ディスプレイサイズによる筐体の大型化を防止することが可能となる。
【００３６】
また、異常時の対応についても、視線を大きく動かすことなく、また、物理的なクリアランス４により前画面表示部３のタッチパネル操作用ボタン１１と後画面表示部２のデータ１３を視覚的に分離してタッチパネル操作用ボタン１１とデータ（異常値）１３を確認しながら迅速かつ的確な対応が可能となる。
【００３７】
図５に本発明に関わる液晶ディスプレイ表示装置のさらに他の実施形態を示す。この液晶ディスプレイ表示装置では、二重液晶ディスプレイ１の後画面表示部２に操作対象設備７に関する系統図１４を表示する。表示される系統図１４は例えば系統図上にポンプのＯＮ／ＯＦＦ、バルブの開／閉、タンクの満水等である。
【００３８】
一方、二重液晶ディスプレイ１の前画面表示部３にタッチパネル操作用ボタン１１を表示する。タッチパネル操作用ボタン１１を選択することにより制御部１２を介して現場６の操作対象設備７を制御する。例えば、機器のＯＮ／ＯＦＦ、回転数、温度、電圧、電流、緊急停止等の制御を行う。
【００３９】
この実施形態によれば、一画面分のディスプレイスペースにおいて、大きな視線の移動行わずにまた、物理的なクリアランス４により前画面表示部３のタッチパネル操作用ボタン１１と後画面表示部２の系統図１４を視覚的に分離して現場６の操作対象設備７の系統図１４を確認しながら操作対象設備７の操作を行うことが可能となり、視認性と操作性の向上を図ることができると共に、系統全体を把握しながらの操作が容易に可能となる。また、従来の複数のディスプレイを設置した場合に比べ、ディスプレイサイズによる筐体の大型化を防止することが可能となる。また、異常時の対応についても、視線を大きく動かすことなく系統図１４を確認しながら迅速かつ的確な対応が可能となる。
【００４０】
図６に本発明に関わる液晶ディスプレイ表示装置の他の実施形態を示す。この液晶ディスプレイ表示装置では、二重液晶ディスプレイ１の後画面表示部２に操作対象設備７に関するデータをグラフィック映像１５を表示する。例えば時間別の流量、水量、出力、効率等を表示する。一方、二重液晶ディスプレイ１の前画面表示部３にタッチパネル操作用ボタン１１を表示する。タッチパネル操作用ボタン１１を選択することにより制御部１２を介して現場６の操作対象設備７を制御する。例えば、機器のＯＮ／ＯＦＦ、回転数、温度、電圧、電流、緊急停止等の制御を行う。
【００４１】
この実施形態によれば、一画面分のディスプレイスペースにおいて、大きな視線の移動行わずにまた、物理的なクリアランス４により前画面表示部３のタッチパネル操作用ボタン１１と後画面表示部２のグラフィック映像１５を視覚的に分離して現場６の操作対象設備７のグラフィック映像１５を確認しながら操作対象設備７の操作を行うことが可能となり、視認性と操作性の向上を図ることができると共に、グラフィック化することによりデータの変化の把握を容易にし、データの変化を把握しながらの操作が容易に可能となる。また、従来の複数のディスプレイを設置した場合に比べ、ディスプレイサイズによる筐体の大型化を防止することが可能となる。また、異常時の対応についても、視線を大きく動かすことなくグラフィック映像１５を確認しながら迅速かつ的確な対応が可能となる利点がある。
【００４２】
図７に本発明に関わる液晶ディスプレイ表示装置の他の実施形態を示す。この液晶ディスプレイ表示装置において、二重液晶ディスプレイ１の後画面表示部２に操作対象設備７に関する操作のための上位メニュー１６およびサブメニュー１７を表示する。更に各画面に前画面表示部と後画面表示部の切り替え用ボタン１８を表示する。
【００４３】
利用者は、まず前画面表示部３に表示された上位メニュー１６よりタッチパネルにより項目を選択する。選択後、選択された項目に応じたサブメニュー１７が前画面表示部３に表示されると共に、上位メニュー１６は後画面表示部２に表示される。そして、利用者は前画面表示部３に表示されたサブメニュー１７のタッチパネル操作用ボタン１１により操作を行う。一方、目的の操作ボタンが表示されなかった場合や、続けて別項目の操作を行う場合は切り替えボタン１８を選択し、画面切り替え制御部３２を介して、上位メニュー１６を前画面表示部３に表示すると共に、サブメニュー１７を後画面に表示させ、再度上位メニュー１６より項目を選択し、同様の操作を行う。
【００４４】
この実施形態によれば、従来の一画面のディスプレイでは見られなかった、前後のメニューを確認しながら項目を選択できるため、前後の関連が把握でき、選択が効率よく実施できる。特に、二段階以上の複数の階層に亘るメニューにおいて有用である。
【００４５】
図８に本発明に関わる液晶ディスプレイ表示装置の他の実施形態を示す。携帯電話１９の表示装置に用いた液晶ディスプレイ表示装置において、二重液晶ディスプレイ１の前画面表示部３に携帯電話のタッチパネル操作ボタン２０を表示し、後画面表示部２に携帯電話情報表示画面２１を表示する。
【００４６】
この実施形態によれば、携帯電話１９本体に操作ボタンを設ける必要が無くなり携帯電話のほぼ全面をディスプレイとすることが可能となる。したがって、携帯電話１９を大きくすることなく、大きなディスプレイを設けられ、表示可能な情報量を増加することが可能となる。さらに、必要とされるディスプレイサイズとほぼ同等の大きさまで携帯電話１９本体を小型化することが可能となる。
【００４７】
図９に本発明に関わる液晶ディスプレイ表示装置の他の実施形態を示す。ＰＤＡ端末２６の表示装置に用いた二重液晶ディスプレイ表示装置において、二重液晶ディスプレイ１の前画面表示部３にＰＤＡ端末のタッチパネル操作ボタン２７を表示し、後画面表示部２にＰＤＡ端末の情報表示画面２８を表示する。すなわち、操作１〜１２のおずれかのタッチパネル操作ボタン２７に使用者が接触することにより、その操作に応じた情報表示画面２８が後画面表示装置２に表示される。
【００４８】
この実施形態によれば、従来ディスプレイの表示エリアを除く、一部のエリアにしか表示出来なかった操作画面を前画面表示部３のほぼ全域に表示可能となり、操作ボタンの表示を多くできる等操作性が向上すると共に、情報表示画面を後画面表示部２のほぼ全面に表示可能となり視認性も向上する。
【００４９】
ところで、上述の本発明の実施形態では、前画面表示部は、前面の接触する位置に応じて選択入力される領域を示す第１の画像を表示する、いわゆるタッチパネル構造を有するものであり、後画面表示部はこの接触位置に関連した第２の画像を表示する液晶ディスプレイ表示装置であった。このような構成によれば、前画面表示部において表示して領域を使用者が特定することにより、それに関連する特定の情報などを後画面で表示できる効果がある。
【００５０】
しかし本発明は、後画面表示部により表示する画像を前画面表示部により特定するものに限られず、前画面表示部の画面で特定しなくても、その画面に関連ある画面を後画面表示部で表示するようにすることもできる。この種の本発明の実施形態を以下説明する。
【００５１】
図１０に本発明に関わる二重液晶ディスプレイ表示装置のさらに他の実施形態を示す。カーナビゲーション端末２９の表示装置に用いた二重液晶ディスプレイ表示装置において、二重液晶ディスプレイ１の前画面表示部３および後画面表示部２の各々にナビゲーション情報を表示する。例えば、後画面表示部２に地図情報３０を表示し、前画面表示部３に渋滞情報や事故情報などの文字情報３１を表示する。
【００５２】
この実施形態によれば、画面の切り替えることなく地図情報３０と文字情報３１を一度にしかも混同を生ずることなく、認識することが出来るため、運転中の操作を無くし、前方への視線をはずす時間を短縮でき、視認性の向上と合わせて安全性の向上にもつながる利点がある。
【００５３】
図１１に本発明に関わる液晶ディスプレイ表示装置の他の実施形態を示す。この液晶ディスプレイ表示装置では、二重液晶ディスプレイ１の前画面表示部３および後画面表示部２に関連した情報（画像）を分離して表示する。例えば、後画面表示部２に地図情報３５を表示し、前画面表示部３に天気図３６を表示する。さらに、各々独立した前画面制御部３３および後画面制御部３４にて制御（前画面用コンテンツ、後画面コンテンツを表示）することにより、変更されることなく表示される固定情報としての地図情報３５上に、時間に応じて変化する変化情報としての天気図３６が表示される。
【００５４】
この実施形態によれば、情報を効果的に表現することが可能となることに合わせて、固定情報（地図情報３５）と変化情報（天気図３６）を分離することで、基本的には変化情報（天気図３６）のみ構築すれば良く、構築作業の低減が可能となる。さらに、画像の更新も変化情報のみで良いため制御装置への付加も軽減できる。
【００５５】
図１２に本発明に関わる液晶ディスプレイ表示装置の他の実施形態を示す。二重液晶ディスプレイ表示装置において二重液晶ディスプレイ１の前画面表示部３および後画面表示部２に関連した情報（画像）を分離して表示する。例えば、機器の動作説明用のコンテンツにおいて、後画面表示部２に機器・設備の全体映像３７を表示し、前画面表示部３に部分拡大映像３８を表示する。さらに、各々独立した前画面制御部３３および後画面制御部３４にて制御（前画面用コンテンツ、後画面コンテンツを表示）する。操作説明時には操作により変化する部分（メーター、ランプ、機構等）を前画面表示部３に拡大表示ことにより、後画面表示部２の全体画像３７を確認しながら、操作による変化を見ることが可能となる。
【００５６】
この実施形態によれば、説明対象者に意図する表示を効果的に表現することが可能となることに合わせて、固定情報（全体映像３７）と変化情報（部分拡大映像３８）を分離することで、基本的には変化情報（全体映像３７）のみ構築すれば良く、構築作業の低減が可能となる利点がある。さらに、画像の更新も変化情報のみで良いため制御装置への付加も軽減できる。
【００５７】
なお、上述の実施形態では、前画面表示部で表示される画像と後画面で表示される画像の関係を一定にしていた。しかし、本発明では前画面表示部で表示していた画像を後画面表示部で表示させると共に後画面表示部で表示していた画像を前画面表示部で表示するように、アイコンの所定の動作によりあるいは別に設けたスイッチなどにより、前画面と後画面を入れ替えられるようにすることもできる。例えば後画面表示部で元のメニューを表示し前画面表示部でその１つのサブメニューを表示するような場合、前後の画面を移し変えることで、すぐ元のメニューの他のサブメニューを表示することが可能になる利点がある。
【００５８】
図１３に本発明に関わる液晶ディスプレイ表示装置のさらに他の実施形態を示す。カメラ付携帯電話２２の表示装置に用いた液晶ディスプレイ表示装置において二重液晶ディスプレイ１の後画面表示部２に、携帯電話に内蔵あるいは接続されたカメラ２３のカメラ画像２５を表示可能とする。さらに、前画面表示部３に携帯電話の情報の表示画面２４を表示する。
【００５９】
この実施形態によれば、突然、電話がかかってきた場合にも、引き続いて携帯電話の情報を表示しながら、電話をかけてきた相手のカメラ画像を見ることが可能となり、操作性、視認性が向上する利点がある。また、カメラ操作中（カメラの映像が後画面表示部に表示されている状態）やゲーム中にかかってきたり、メールが来た場合においても、カメラ画面を消さずに電話の相手の確認が可能であり、必要に応じ電話に出たり、後でかけなおしたり、メールを見たりといったことが可能となり、利便性が向上するという利点がある。
【００６０】
ところで、上述の実施形態では、前画面表示部に接触すると、この接触位置に関連する画像を後画面表示部にて表示するものであった。このように前画面表示部に接触により特定の領域を選択可能にすると、使用者が選択入力のために、特別な道具を必要としないという利点がある。
【００６１】
しかし、本発明はこのような形態に限られず、後画面表示部において表示される画面で選択した領域に関する画像を、前画面表示部において表示するようにすることも可能である。
【００６２】
この種の本発明の実施形態を図１４に示す。同図において、二重液晶ディスプレイ１は、その後画面表示部２には操作ボタン列３９が表示されており、図示しないマウスを動かし、表示されている複数のボタンの１つ、例えばボタン８にマウスポインタ４０を移動させてクリックする。この操作により、前画面表示部３に、ボタン８に関連する映像を表示させる。上述の実施形態においてタッチパネルで行った操作を同様に後画面表示部で行い、前画面表示部で関連する画像を表示させることができる。後画面表示部２には、図２乃至図９において、前画面表示部にタッチパネルボタンなどとして表示したボタン、操作、数字などを表示させる。これらの表示された特定の領域を、別に移動可能に表示されるマウスポインタ４０を移動させてクリックすることにより選択入力する。前画面表示部３には、図２乃至９において、映像、データ、系統図、グラフィック映像などとして後画面表示部に表示した画像を上記後画面表示部２で選択入力した領域と関連して表示させる。
【００６３】
この種の実施形態によれば、通常、机上においてパーソナルコンピュータを用いているときと同じ体勢で、容易に選択入力することが可能となる利点がある。
【００６４】
【発明の効果】
本発明の液晶ディスプレイ表示装置によれば、関連ある２画面分の情報を１画面分のディスプレイのスペースで表示できるため、機器本体の小型化が可能となる。さらに、タッチパネル操作画面を見ながら、あるいはマウスなどにより、映像等の情報を視線の移動、画面の切り替えなしに確認することが可能となる。さらに、１画面分のディスプレイのスペースで表示された２画面分の情報を２画面間の物理的なクリアランスにより視覚的に分離して認識することが可能となる。このように、関連した固定情報（画像）と変化情報（画像）を分離して表示することで、制御装置への付加を軽減し、表示を効果的に表現することが可能となる。
【００６５】
また、本発明によれば、視認性、操作性に優れた、効果的な表現が可能な表示装置を提供することが可能となると共に、本表示装置を用いた機器・設備本体の小型化、制御部への付加の軽減も可能となる。
【図面の簡単な説明】
【図１】本発明一実施形態の液晶ディスプレイ表示装置の構造を説明するための図。
【図２】本発明一実施形態における前画面表示部と後画面表示部の表示内容の関係を説明するための図。
【図３】本発明の他の実施形態における前画面表示部と後画面表示部の表示内容の関係を説明するための図。
【図４】本発明のさらに他の実施形態における前画面表示部と後画面表示部の表示内容の関係を説明するための図。
【図５】本発明のさらに他の実施形態における前画面表示部と後画面表示部の表示内容の関係を説明するための図。
【図６】本発明のさらに他の実施形態における前画面表示部と後画面表示部の表示内容の関係を説明するための図。
【図７】本発明のさらに他の実施形態における前画面表示部と後画面表示部の表示内容の関係を説明するための図。
【図８】本発明のさらに他の実施形態における前画面表示部と後画面表示部の表示内容の関係を説明するための図。
【図９】本発明のさらに他の実施形態における前画面表示部と後画面表示部の表示内容の関係を説明するための図。
【図１０】本発明のさらに他の実施形態における前画面表示部と後画面表示部の表示内容の関係を説明するための図。
【図１１】本発明のさらに他の実施形態における前画面表示部と後画面表示部の表示内容の関係を説明するための図。
【図１２】本発明のさらに他の実施形態における前画面表示部と後画面表示部の表示内容の関係を説明するための図。
【図１３】本発明のさらに他の実施形態における前画面表示部と後画面表示部の表示内容を説明するための図。
【図１４】後画面表示部で表示した画像の特定領域を指定し、これに関連する画像を前画面表示部に表示する本発明のさらに他の実施形態を説明するための図。
【符号の説明】
１・・・二重液晶ディスプレイ、
２・・・後画面表示部、
３・・・前画面表示部、
４・・・クリアランス、
５・・・タッチパネルボタン、
６・・・現場、
７・・・操作対象設備、
８，２３・・・カメラ、
９・・・制御装置、
１０・・・受信部、
１１，２０，２７・・・タッチパネル操作用ボタン、
１２・・・制御部、
１３・・・データ、
１４・・・系統図、
１５・・・グラフィック映像、
１６・・・上位メニュー
１７・・・サブメニュー
１８・・・切り替えボタン
１９・・・携帯電話、
２１・・・携帯電話情報表示画面、
２２・・・カメラ付携帯電話、
２４・・・携帯電話情報表示画面、
２５・・・カメラ画像、
２６・・・ＰＤＡ端末、
２８・・・情報表示画面、
２９・・・カーナビゲーション端末、
３０・・・地図情報、
３１・・・文字情報、
３２・・・画面切り替え制御部、
３３・・・前画面制御部、
３４・・・後画面制御部、
３５・・・地図情報、
３６・・・天気図、
３７・・・全体映像、
３８・・・部分拡大映像、
３９・・・操作ボタン列、
４０・・・マウスポインタ。
【図１】
2004145821.tif 000003
【図２】
2004145821.tif 000004
【図３】
2004145821.tif 000005
【図４】
2004145821.tif 000006
【図５】
2004145821.tif 000007
【図６】
2004145821.tif 000008
【図７】
2004145821.tif 000009
【図８】
2004145821.tif 000010
【図９】
2004145821.tif 000011
【図１０】
2004145821.tif 000012
【図１１】
2004145821.tif 000013
【図１２】
2004145821.tif 000014
【図１３】
2004145821.tif 000015
【図１４】
2004145821.tif 000016